(57)【特許請求の範囲】
【請求項１】
アルミで形成され、エレベーターの乗場の出入口を覆う複数のパネルと、
前記複数のパネルに覆われた空間の側において隣接したパネルを固定する締結体と、
を備え、
前記複数のパネルは、互いに同じ形状であり、前記乗場の出入口の幅方向の外側において互いの側縁部を隣接させた状態で前記乗場の奥行き方向に並んだ一対の側面壁を含み、
前記締結体は、前記複数のパネルに覆われた空間の側から前記一対の側面壁の一方の側縁部と他方の側縁部とを貫通して前記一対の側面壁の他方の側縁部における前記複数のパネルに覆われた空間の側とは反対側の面に予め固定されたナットにねじ込まれることで、前記ナットとは異なる部材を要することなく前記一対の側面壁を固定するエレベーターの仮囲い。
【請求項２】
前記複数のパネルの各々は、耐火塗料が塗布された表面を備えた請求項１に記載のエレベーターの仮囲い。
【請求項３】
前記複数のパネルの各々は、
前記乗場の出入口の側に配置され、耐火塗料が塗布された第１表面と、
前記乗場の出入口とは反対側に配置され、耐火塗料が塗布されていない第２表面と、
を備えた請求項１または請求項２に記載のエレベーターの仮囲い。
【請求項４】
前記複数のパネルの各々は、
前記乗場の出入口の側に配置され、耐火塗料が塗布されない第１表面と、
前記乗場の出入口とは反対側に配置され、耐火塗料が塗布された第２表面と、
を備えた請求項１から請求項３のいずれか１項に記載のエレベーターの仮囲い。
【発明の詳細な説明】
【技術分野】
【０００１】
この発明は、エレベーターの仮囲いに関する。
【背景技術】
【０００２】
特許文献１は、エレベーターの仮囲いを開示する。当該仮囲いにおいては、エレベーターの作業場情況等に合わせて、適宜奥行き長が変更される。
【先行技術文献】
【特許文献】
【０００３】
【特許文献１】特開２０１１−１８４１１３号公報
【発明の概要】
【発明が解決しようとする課題】
【０００４】
しかしながら、特許文献１に記載の仮囲いの構造は、複雑である。このため、仮囲いを組み立てる際の作業時間が長くなる。
【０００５】
この発明は、上述の課題を解決するためになされた。この発明の目的は、容易に組み立てることができるエレベーターの仮囲いを提供することである。
【課題を解決するための手段】
【０００６】
この発明に係るエレベーターの仮囲いは、アルミで形成され、エレベーターの乗場の出入口を覆う複数のパネルと、前記複数のパネルに覆われた空間の側において隣接したパネルを固定する締結体と、を備え、前記複数のパネルは、互いに同じ形状であり、前記乗場の出入口の幅方向の外側において互いの側縁部を隣接させた状態で前記乗場の奥行き方向に並んだ一対の側面壁を含み、前記締結体は、前記複数のパネルに覆われた空間の側から前記一対の側面壁の一方の側縁部と他方の側縁部とを貫通して前記一対の側面壁の他方の側縁部における前記複数のパネルに覆われた空間の側とは反対側の面に予め固定されたナットにねじ込まれることで、前記ナットとは異なる部材を要することなく前記一対の側面壁を固定する。
【発明の効果】
【０００７】
この発明によれば、複数のパネルは、アルミで形成される。隣接したパネルは、複数のパネルに覆われた空間の側において締結体により固定される。このため、エレベーターの仮囲いを容易に組み立てることができる。
【図面の簡単な説明】
【０００８】
【図１】この発明の実施の形態１におけるエレベーターの仮囲いが適用されたエレベーターの乗場の斜視図である。
【図２】この発明の実施の形態１におけるエレベーターの仮囲いの要部の横断面図である。
【図３】この発明の実施の形態１におけるエレベーターの仮囲いの要部の縦断面図である。
【図４】この発明の実施の形態１におけるエレベーターの仮囲いの要部の縦断面図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略される。
【００１０】
実施の形態１．
図１はこの発明の実施の形態１におけるエレベーターの仮囲いが適用されたエレベーターの乗場の斜視図である。
【００１１】
図１において、図示しない建築物は、複数の階を備える。建築物は、エレベーターを備える。
【００１２】
エレベーターの図示しない昇降路は、建築物の各階を貫く。エレベーターの複数の乗場１の各々は、建築物の各階に設けられる。複数の乗場１の各々は、昇降路に対向する。エレベーターの図示しないかごは、昇降路の内部に設けられる。
【００１３】
複数の乗場ドア２の各々は、エレベーターのドアとして各階の乗場１の出入口に設けられる。図示しないかごドアは、エレベーターのドアとしてかごの出入口に設けられる。
【００１４】
エレベーターの仮囲いは、エレベーターの改修作業時に利用される。仮囲いは、乗場１の出入口を覆うように組み立てられる。例えば、仮囲いは、複数のパネルとドア１００とを備える。
【００１５】
複数のパネルは、アルミで形成される。例えば、複数のパネルは、一対の第１側面壁３と一対の第２側面壁４と戸当たり側袖壁５と戸袋側袖壁６と出入口上板７と天井８とからなる。
【００１６】
一対の第１側面壁３は、乗場１の出入口の幅方向の外側の一方に配置される。一対の第１側面壁３は、互いの側縁部を隣接させた状態で乗場１の奥行き方向に並ぶ。一対の第２側面壁４は、乗場１の出入口の幅方向の外側の他方に配置される。一対の第２側面壁４は、互いの側縁部を隣接させた状態で乗場１の奥行き方向に並ぶ。
【００１７】
戸当たり側袖壁５は、乗場１の手前側に配置される。戸当たり側袖壁５は、乗場１の手前側の第１側面壁３における乗場１の手前側の側縁部に乗場１の出入口の幅方向における外側の側縁部を隣接させる。戸袋側袖壁６は、乗場１の手前側に配置される。戸袋側袖壁６は、乗場１の手前側の第２側面壁４における乗場１の手前側の側縁部に乗場１の出入口の幅方向における外側の縁部を隣接させる。
【００１８】
出入口上板７は、乗場１の手前側に配置される。出入口上板７は、戸当たり側袖壁５の上縁部と戸袋側袖壁６の上縁部とに下縁部を隣接させる。天井８は、一対の第１側面壁３の各々の上縁部に乗場１の出入口の幅方向における一縁部を隣接させる。天井８は、一対の第２側面壁４の各々の上縁部に乗場１の出入口の幅方向における他縁部を隣接させる。天井８は、出入口上板７の上縁部に乗場１の手前側の前縁部を隣接させる。
【００１９】
一対の第１側面壁３は、図１においては図示されない締結体により固定される。当該締結体は、複数のパネルに覆われた空間の側において一対の第１側面壁３を固定する。一対の第２側面壁４は、図１においては図示されない締結体により固定される。当該締結体は、複数のパネルに覆われた空間の側において一対の第２側面壁４を固定する。
【００２０】
戸当たり側袖壁５と乗場１の手前側の第１側面壁３とは、図１においては図示されない締結体により固定される。当該締結体は、複数のパネルに覆われた空間の側において戸当たり側袖壁５と乗場１の手前側の第１側面壁３とを固定する。戸袋側袖壁６と乗場１の手前側の第２側面壁４とは、図１においては図示されない締結体により固定される。当該締結体は、複数のパネルに覆われた空間の側において戸袋側袖壁６と乗場１の手前側の第２側面壁４とを固定する。
【００２１】
出入口上板７と戸当たり側袖壁５とは、図１においては図示されない締結体により固定される。当該締結体は、複数のパネルに覆われた空間の側において出入口上板７と戸当たり側袖壁５とを固定する。出入口上板７と戸袋側袖壁６とは、図１においては図示されない締結体により固定される。当該締結体は、複数のパネルに覆われた空間の側において出入口上板７と戸袋側袖壁６とを固定する。
【００２２】
天井８と一対の第１側面壁３の各々とは、図１においては図示されない締結体により固定される。当該締結体は、複数のパネルに覆われた空間の側において天井８と一対の第１側面壁３の各々とを固定する。天井８と一対の第２側面壁４の各々とは、図１においては図示されない締結体により固定される。当該締結体は、複数のパネルに覆われた空間の側において天井８と一対の第２側面壁４の各々とを固定する。天井８と出入口上板７とは、図１においては図示されない締結体により固定される。当該締結体は、複数のパネルに覆われた空間の側において天井８と出入口上板７とを固定する。
【００２３】
ドアは、戸当たり側袖壁５と戸袋側袖壁６との間に設けられる。ドアは、戸袋側袖壁６の裏側に移動し得るように設けられる。
【００２４】
次に、図２を用いて、一対の第１側面壁３の固定方法と第１側面壁３と戸当たり側袖壁５との固定方法とを説明する。
図２はこの発明の実施の形態１におけるエレベーターの仮囲いの要部の横断面図である。
【００２５】
図２に示すように、一対の第１側面壁３は、互いに同じ形状である。一対の第１側面壁３の各々は、本体部３ａと第１固定部３ｂと第２固定部３ｃとを備える。
【００２６】
本体部３ａは、仮囲いの外面の一部を形成する。第１固定部３ｂは、第１側面壁３の各々において乗場１の奥側の側縁部に形成される。第１固定部３ｂは、第１側面壁３の各々において乗場１の奥側の側縁部が折り曲げられることにより形成される。第２固定部３ｃは、第１側面壁３の各々において乗場１の手前側の側縁部に形成される。第２固定部３ｃは、第１側面壁３の各々において乗場１の手前側の側縁部が折り曲げられることにより形成される。
【００２７】
例えば、複数のナット９の各々は、対応した第１固定部３ｂに予め溶接される。
【００２８】
取付片１０は、乗場１の手前側の第１側面壁３における乗場１の手前側の側縁部に予め固定される。例えば、取付片１０は、乗場１の手前側の第１側面壁３における乗場１の手前側の側縁部に締結体１１とナット９とにより予め固定される。
【００２９】
取付片１０は、固定部１０ａを備える。固定部１０ａは、取付片１０の乗場１の奥側の側縁部を折り曲げることにより形成される。
【００３０】
例えば、ナット９は、取付片１０の固定部１０ａに予め溶接される。
【００３１】
戸当たり側袖壁５は、固定部５ａを備える。固定部５ａは、戸当たり側袖壁５の乗場１の奥側の側縁部を折り曲げることにより形成される。
【００３２】
一対の第１側面壁３において、乗場１の手前側の第１側面壁３の第１固定部３ｂは、乗場１の出入口の幅方向の外側から乗場１の奥側の第１側面壁３の第２固定部３ｃに重ねられる。この状態において、締結体１１は、複数のパネルに覆われた空間の側から乗場１の奥側の第１側面壁３の第２固定部３ｃと乗場１の手前側の第１側面壁３の第１固定部３ｂとを貫通してナット９にねじ込まれる。その結果、一対の第１側面壁３は、互いに強固に固定される。
【００３３】
乗場１の手前側の第１側面壁３と戸当たり側袖壁５とにおいて、戸当たり側袖壁５の固定部５ａは、乗場１の奥側から取付片１０の固定部１０ａに重ねられる。この状態において、締結体１１は、複数のパネルに覆われた空間の側から戸当たり側袖壁５の固定部５ａと取付片１０の固定部１０ａとを貫通してナット９にねじ込まれる。その結果、乗場１の手前側の第１側壁と戸当たり側袖壁５とは、強固に固定される。
【００３４】
図２において図示されないが、一対の第２側面壁４の各々は、一対の第１側面壁３の各々とほぼ同じ形状である。このため、一対の第２側面壁４は、一対の第１側面壁３の固定方法とほぼ同じ方法で互いに強固に固定される。
【００３５】
図２において図示されないが、戸袋側袖壁６は、幅方向の寸法を除いて戸当たり側袖壁５とほぼ同じ形状である。このため、乗場１の手前側の第２側面壁４と戸袋側袖壁６とは、乗場１の手前側の第１側面壁３と戸当たり側袖壁５との固定方法とほぼ同じ方法で互いに強固に固定される。
【００３６】
次に、図３を用いて、天井８と第１側面壁３との固定方法を説明する。
図３はこの発明の実施の形態１におけるエレベーターの仮囲いの要部の縦断面図である。
【００３７】
図３に示すように、取付片１２は、第１側面壁３に予め固定される。例えば、取付片１２は、第１側面壁３の上縁部に予め溶接される。取付片１２は、固定部１２ａを備える。固定部１２ａは、取付片１２の上縁部を折り曲げることにより形成される。
【００３８】
取付片１３は、天井８に予め固定される。例えば、取付片１３は、天井８の一縁部に予め溶接される。取付片１３は、固定部１３ａを備える。固定部１３ａは、取付片１３の一縁部を折り曲げることにより形成される。
【００３９】
例えば、ナット９は、取付片１２の固定部１２ａに予め溶接される。
【００４０】
天井８と第１側面壁３とにおいて、取付片１３の固定部１３ａは、乗場１の出入口の幅方向の内側から取付片１２の固定部１２ａに重ねられる。この状態において、締結体１１は、複数のパネルに覆われた空間の側から取付片１３の固定部１３ａと取付片１２の固定部１２ａとを貫通してナット９にねじ込まれる。その結果、天井８と第１側面壁３とは、強固に固定される。
【００４１】
図３においては図示されないが、天井８と第２側面壁４との固定方法も、天井８と第１側面壁３との固定方法とほぼ同じである。
【００４２】
次に、図４を用いて、天井８と出入口上板７との固定方法を説明する。
図４はこの発明の実施の形態１におけるエレベーターの仮囲いの要部の縦断面図である。
【００４３】
図４に示すように、取付片１４は、出入口上板７に予め固定される。例えば、取付片１４は、出入口上板７の上縁部に予め溶接される。取付片１４は、固定部１４ａを備える。固定部１４ａは、取付片１４の上縁部を折り曲げることにより形成される。
【００４４】
取付片１５は、天井８に予め固定される。例えば、取付片１５は、天井８の前縁部に予め溶接される。取付片１５は、固定部１５ａを備える。固定部１５ａは、取付片１５の前縁部を折り曲げることにより形成される。
【００４５】
例えば、ナット９は、取付片１４の固定部１４ａに予め溶接される。
【００４６】
天井８と出入口上板７とにおいて、取付片１５の固定部１５ａは、乗場１の奥側から取付片１４の固定部１４ａに重ねられる。この状態において、締結体１１は、複数のパネルに覆われた空間の側から取付片１５の固定部１５ａと取付片１４の固定部１４ａを貫通してナット９にねじ込まれる。その結果、天井８と出入口上板７とは、強固に固定される。
【００４７】
以上で説明した実施の形態１によれば、複数のパネルは、アルミで形成される。隣接したパネルは、複数のパネルに覆われた空間の側において締結体１１により固定される。
【００４８】
例えば、一対の第１側面壁３は、複数のパネルに覆われた空間の側から互いに強固に固定される。一対の第２側面壁４は、複数のパネルに覆われた空間の側から互いに強固に固定される。乗場１の手前側の第１側面壁３と戸当たり側袖壁５とは、強固に固定される。乗場１の手前側の第２側面壁４と戸袋側袖壁６とは、強固に固定される。天井８と一対の第１側面壁３の各々とは、強固に固定される。天井８と一対の第２側面壁４の各々とは、強固に固定される。天井８と出入口上板７とは、強固に固定される。
【００４９】
複数のパネルに覆われた空間の側において作業者が締結体１１をねじ込む際、締結体１１は、作業者の正面を向く。このため、仮囲いを容易に組み立てることができる。さらに、仮囲いを容易に撤去することができる。例えば、複数のパネルが鋼板で形成された場合の３分の１程度の時間で仮囲いの組立および撤去を行うことができる。
【００５０】
なお、耐火塗料を複数のパネルの表面に塗布してもよい。例えば、複数のパネルの表面に２００℃程度の熱で発泡して炭化する耐火塗料を塗布してもよい。例えば、厚さで耐久時間を管理し得る耐火塗料を複数のパネルの表面に塗布してもよい。これらの場合、仮囲いの耐火性能を向上することができる。
【００５１】
この際、複数のパネルの各々において、乗場１の出入口の側に配置された第１表面と乗場１の出入口とは反対側に配置された第２表面のうちの一方に耐火塗料を塗布し、他方に耐火塗料を塗布しなくてもよい。この場合でも、仮囲いの耐火性能をある程度向上することができる。
【符号の説明】
【００５２】
１  乗場、  ２  乗場ドア、  ３  第１側面壁、  ３ａ  本体部、  ３ｂ  第１固定部、  ３ｃ  第２固定部、  ４  第２側面壁、  ５  戸当たり側袖壁、  ５ａ  固定部、  ６  戸袋側袖壁、  ７  出入口上板、  ８  天井、  ９  ナット、  １０  取付片、  １０ａ  固定部、  １１  締結体、  １２  取付片、  １２ａ  固定部、  １３  取付片、  １３ａ  固定部、  １４  取付片、  １４ａ  固定部、  １５  取付片、  １５ａ  固定部、  １００  ドア
【図１】
0006561918.tif 000002
【図２】
0006561918.tif 000003
【図３】
0006561918.tif 000004
【図４】
0006561918.tif 000005